(57)【要約】【課題】小型でかつ受信感度に優れたアンテナ装置、アンテナ装置の製造方法及びアンテナ装置を搭載した電子機器を提供する。【解決手段】複数のアモルファス薄片３３を積層してなるコア３０と、コア３０に巻回されたコイル３１と、を備え、コア３０を構成する各アモルファス薄片３３の端部は、コア３０の延在方向に直交する方向であってアモルファス薄片３３の表面と平行な方向に互いにずれて積層されている。【選択図】図４
2008177674.tif 000002
【特許請求の範囲】
【請求項１】
複数の板状部材を積層してなるコアと、
前記コアに巻回されたコイルと、
を備え、
前記各板状部材の端部は、前記コアの延在方向と直交する方向で、かつ、前記各板状部材の表面と平行な方向に、互いにずれて積層されていることを特徴とするアンテナ装置。
【請求項２】
前記各板状部材の端部は、その基端が湾曲形状であることを特徴とする請求項１に記載のアンテナ装置。
【請求項３】
前記各板状部材の端部には、ローレット加工部又は目立て加工部が形成されていることを特徴とする請求項１又は請求項２に記載のアンテナ装置。
【請求項４】
前記各板状部材の端部には、前記板状部材の表面に対して立設された立設部が形成されていることを特徴とする請求項１から請求項３のいずれか一項に記載のアンテナ装置。
【請求項５】
請求項１に記載のアンテナ装置と、
前記アンテナ装置を収納したケースと、
を備えていることを特徴とする電子機器。
【請求項６】
前記各板状部材の端部は、その端縁が前記ケースの内周面に沿う形状に形成されていることを特徴とする請求項５に記載の電子機器。
【請求項７】
アンテナ装置の製造方法において、
磁性を有する板材から複数の板状部材を打ち抜くプレス工程と、
このプレス工程で打ち抜いた複数の板状部材の端部を、前記板状部材の延在方向と直交する方向で、かつ、前記各板状部材の表面と平行な方向に互いにずれるように積層してコアを形成する積層工程と、
この積層工程で形成されたコアにコイルを巻回する巻回工程と、
を備えていることを特徴とするアンテナ装置の製造方法。
【発明の詳細な説明】
【技術分野】
【０００１】
本発明は、アンテナ装置、アンテナ装置の製造方法及び電子機器に関する。
【背景技術】
【０００２】
従来、時刻情報を含む標準電波を受信して自動的に現在時刻を修正する電波時計が知られている。電波時計において標準電波を受信するアンテナとしては、受信感度のよい磁性材料であるアモルファス金属やフェライト等でなるコアにコイルが巻回されてなるバーアンテナが多く用いられている。
【０００３】
このような電波時計のうち、特に腕時計型の電波時計の場合には、限られた小さな内容積に各種部品を収納する必要があるため、小型のアンテナを用いる必要がある。
【０００４】
そこで、サイズを大きくすることなく受信感度を向上させたアンテナとして、例えば、短冊状のアモルファスの薄片を複数枚積層して成るコアがボビンに収納され、ボビンの周囲にコイルが巻回されたアンテナであって、ボビンの側面開口部にクサビ状のスペーサを挿入してコア両端を割り開き、アモルファス薄片を積層方向外側に曲折させたものが知られている（例えば、特許文献１参照）。
また、例えばアモルファスの薄片を複数枚積層して成る積層コアにコイルが巻回されてなるアンテナにおいて、コアの両端部にスペーサを挟んで積層を分割させ、端部の厚み方向の長さを長くした構成が知られている（例えば、特許文献２参照）。
これらの構成によれば、コア端部における電波受信面積が増加するためアンテナの受信感度を向上させることができる。
【０００５】
さらに、近年では、高級感を演出するために機器ケースをステンレスやチタン等の金属で形成する場合があり、このように機器ケースを金属製とした場合には、金属製のケース部分がシールドとして機能し、アンテナによる電波受信を阻害する。このため、アンテナを金属製の機器ケースに収容した場合には、アンテナは主としてガラスや樹脂等の非導電性部材によって形成された文字盤や裏蓋側の面から電波を受信することとなる。
【０００６】
そこで、文字盤又は裏蓋のいずれかを非導電性部材で構成し、アンテナのコアの端部を非導電性部材で構成されている部材の側に折り曲げたアンテナ内蔵式電波時計が提案されている（例えば、特許文献３参照）。
【特許文献１】特開２００４−１７９８０３号公報
【特許文献２】特開２００４−１２８９５６号公報
【特許文献３】特開２００６−１５３７５２号公報
【発明の開示】
【発明が解決しようとする課題】
【０００７】
しかしながら、特許文献１から特許文献３に記載された技術のように、アンテナのコアの端部を非導電性部材で構成されている部材の側に折り曲げたり、又はコアを形成するアモルファス薄片の端部を積層方向外側に割り開いて曲折させた場合には、アンテナが時計の厚さ方向に大きくなり、時計が大型化してしまうとの問題がある。
【０００８】
また、特許文献３に記載された技術のように、コアの端部を非導電性部材の側に折り曲げただけでは、電波の受信面積は変わらないため、十分な受信感度の向上が望めない。また、特に機器ケースがステンレスやチタン等の金属で形成されている場合には、前述のように、アンテナは主として非導電性部材によって形成された文字盤や裏蓋側の面から電波を受信するため、アンテナを構成するコアの端部を積層方向に開いても有効に電波の受信面積を広げることにはならないとの問題がある。
【０００９】
そこで、本発明は、上記課題を解決するために為されたものであり、小型でかつ受信感度に優れたアンテナ装置、アンテナ装置の製造方法及びアンテナ装置を搭載した電子機器を提供することを目的としている。
【課題を解決するための手段】
【００１０】
請求項１に記載の発明は、
複数の板状部材を積層してなるコアと、
前記コアに巻回されたコイルと、
を備え、
前記各板状部材の端部は、前記コアの延在方向と直交する方向で、かつ、前記各板状部材の表面と平行な方向に、互いにずれて積層されていることを特徴としている。
【００１１】
請求項２に記載の発明は、請求項１に記載のアンテナ装置において、
前記各板状部材の端部は、その基端が湾曲形状であることを特徴としている。
【００１２】
請求項３に記載の発明は、請求項１又は請求項２に記載のアンテナ装置において、
前記各板状部材の端部には、ローレット加工部又は目立て加工部が形成されていることを特徴としている。
【００１３】
請求項４に記載の発明は、請求項１から請求項３のいずれか一項に記載のアンテナ装置において、
前記各板状部材の端部には、前記板状部材の表面に対して立設された立設部が形成されていることを特徴としている。
【００１４】
請求項５に記載の発明は、
請求項１に記載のアンテナ装置と、
前記アンテナ装置を収納したケースと、
を備えていることを特徴としている。
【００１５】
請求項６に記載の発明は、請求項５に記載の電子機器において、
前記各板状部材の端部は、その端縁が前記ケースの内周面に沿う形状に形成されていることを特徴としている。
【００１６】
請求項７に記載の発明は、
磁性を有する板材から複数の板状部材を打ち抜くプレス工程と、
このプレス工程で打ち抜いた複数の板状部材の端部を、前記板状部材の延在方向と直交する方向で、かつ、前記各板状部材の表面と平行な方向に互いにずれるように積層してコアを形成する積層工程と、
この積層工程で形成されたコアにコイルを巻回する巻回工程と、
を備えていることを特徴としている。
【発明の効果】
【００１７】
本発明によれば、従来に比べて、電波受信面積を広く確保することができ、電波が進入し易く、受信感度を大幅に向上させることができる。
【発明を実施するための最良の形態】
【００１８】
以下、図面を参照しつつ、本発明に係るアンテナ装置及びアンテナ装置を適用した電子機器の好適な実施形態について具体的に説明する。なお、本発明の範囲は図示例に限定されない。
【００１９】
［第１の実施の形態］
先ず、図１から図９を参照しつつ、本発明に係るアンテナ装置及びアンテナ装置を備えた電子機器の第１の実施形態を説明する。なお、本実施形態では、電子機器としての電波腕時計にアンテナ装置を搭載する場合を例として説明する。
【００２０】
図１は、本発明に係るアンテナ装置を備えた電波腕時計を示す正面図である。図２は、図１に示す電波腕時計の構成部品のうち裏蓋を外した状態の裏面側内部を示す裏面図である。図３は、図１に示す電波腕時計の縦断面図である。
【００２１】
これら図１から図３に示すように、電波腕時計１００には、時計計時部１を内部に収納する機器ケース２が設けられている。機器ケース２は、ステンレスやチタン等の金属により環状の短柱形状に形成されている。機器ケース２の図１及び図２における上下両端部、つまり時計の１２時方向側端部及び６時方向側端部には時計バンド３が取り付けられている。また、機器ケース２の外周部には、時刻合わせの指示などの種々の操作指示がなされる複数の操作ボタン４が設けられている。
【００２２】
機器ケース２の視認側（表面側；図３における上側）には、視認側の開口部２１を閉塞するように時計ガラス５が防水パッキンＰを介して装着されている。また、機器ケース２の視認側とは反対側（裏面側；図３における下側）には、機器ケース２の裏面側の開口部２２を閉塞するように裏蓋９が防水リング１０を介して取り付けられている。裏蓋９は、例えばステンレスやチタン等の強度が強い金属により、厚みが薄いほぼ平板状に形成されている。
【００２３】
機器ケース２の内部には時計計時部１が収納されている。時計計時部１は、標準電波を受信するアンテナ装置１１、アンテナ装置１１により受信した電波に基づいて時刻調整を行う受信制御部、指針８を運針させる運針機構部（いずれも図示せず）、この受信制御部、運針機構部等を接続してこれらを制御する回路基板１２を含んでいる。
【００２４】
また、時計計時部１は、機器ケース２の視認側（図３における上側）に装着された時計ガラス５と裏蓋９との間に配設された上部ハウジング１３と、上部ハウジング１３よりも機器ケース２の裏面側（図３における下側）に配設された下部ハウジング１４とを備えている。上部ハウジング１３及び下部ハウジング１４は、モールド成型により形成されていて、各種部品を固定保持するものである。
【００２５】
上部ハウジング１３は、電波を遮断しない所定の合成樹脂から形成されており、上部ハウジング１３の１２時方向部分（図１及び図２における上側）には、アンテナ装置１１が収納されるアンテナ収納スペース１５が形成されている。また、上部ハウジング１３の上記アンテナ収納スペース１５以外の部分は、受信制御部、運針機構部等の各種電子部品を保持するための電子部品保持部１６が形成されている。
【００２６】
下部ハウジング１４は、上部ハウジング１３の電子部品保持部１６にほぼ対応する形状に形成されている。また、下部ハウジング１４の裏蓋９に対向する面（図３における裏面側（下側）の面）には、電波腕時計１００の各部に電力を供給するためのバッテリー１７が組み込まれている。さらに、下部ハウジング１４は、当該下部ハウジング１４を固定するためのハウジング固定部材１８によって裏側（図３における裏面側（下側））から被覆されている。
【００２７】
そして、上部ハウジング１３と下部ハウジング１４との間であって、前記電子部品保持部１６に対応する位置には、受信した電波により時刻調整を行う受信制御回路（図示省略）、運針機構等の電波腕時計１００の各部と接続された回路基板１２が配置されており、回路基板１２は、上部ハウジング１３と下部ハウジング１４とに挟持されて固定されている。
【００２８】
なお、本実施形態においては、上部ハウジング１３及び下部ハウジング１４は、モールド成型により形成されているものとして説明したが、上部ハウジング１３及び下部ハウジング１４の形成手法は、モールド成型に限定されない。また、本実施形態において上部ハウジング１３は、電波を遮断しない所定の合成樹脂から形成されているものとしたが、上部ハウジング１３及び下部ハウジング１４を形成する材料は特に限定されず、合成樹脂以外の材料で形成されていてもよい。また、本実施形態では、下部ハウジング１４の裏蓋９に対向する面に、電波腕時計１００の各部に電力を供給するためのバッテリー１７が組み込まれている構成を例としたが、バッテリー１７の配置はここに例示したものに限定されない。
【００２９】
上部ハウジング１３の上面（図３における視認側（上側）の面）には、時計ガラス５の視認側と反対側の面（図３における裏面側（下側）の面）に対向して文字盤６が配置されている。文字盤の表面(図３における視認側)には、時字６ａが、刻印、印刷等により施されている。
【００３０】
時計計時部１を構成する運針機構部は、文字盤６の中央部に形成された軸孔からその上方に伸びる指針軸７と、この指針軸７に取り付けられ時計ガラス５と文字盤６との間に配置されている時針や分針等の指針８とを有し、指針８を文字盤６の上方で運針させる。
【００３１】
次に、本実施形態におけるアンテナ装置１１について説明する。
図４は、電波腕時計１００内にアンテナ装置１１を収納した状態を示す斜視図である。図２及び図４に示すように、アンテナ装置１１は、時計計時部１の上部ハウジング１３のアンテナ収納スペース１５に収納されている。図５（Ａ）は、図４の矢示Ｘ方向からアンテナ装置１１を見た場合のアンテナ装置１１の側面図であり、図５（Ｂ）は、図４のＩ−Ｉ断面図である。
図４及び図５に示すように、アンテナ装置１１は、コア３０と、コア３０に巻回されるコイル３１とを備えている。
【００３２】
コイル３１は銅等の導線で構成されており、コイル３１の巻き始めと巻き終わりの各端部３２は（図２及び図３参照）、図３に示すように回路基板１２上のコイル接続部１９に接続されている。
コア３０は、電波の受信感度が高いアモルファス金属等の磁性材料から成るアモルファス薄片（板状部材）３３を複数枚積層して形成されている。コア３０の中央部分はコイル３１が巻回される巻き線部３４（図７参照）となっている。巻き線部３４の表層部には、コイル３１との絶縁性を確保するため、例えば厚さ２０〜３０μｍ程度のフッ素樹脂（非導電性樹脂）がコーティングされている。巻き線部３４には、コイル３１がほぼ均一の厚さとなるように巻回されている。また、コア３０の両端部は電波を受信する電波受信部３５となっている。
なお、本実施形態では、アモルファス薄片３３を５枚積層してなるコア３０を例として説明するが、コア３０を構成するアモルファス薄片３３の数はこれに限定されない。
また、コア３０を形成する材料は、電波の受信感度が高い磁性材料であって加工性に優れたものであればよく、アモルファス金属に限定されない。例えばフェライト等であってもよい。また、受信感度において多少劣るがスチール等を適用することも可能である。
【００３３】
積層されるアモルファス薄片３３は５枚とも形状が異なっており、アモルファス薄片３３ａ，３３ｂ，３３ｄ，３３ｅの両端（先端部）には、コア３０の延在方向に直交する方向であってコア３０を電波腕時計１００のアンテナ収納スペース１５内に配置したときの水平方向（コア３０（コアを形成するアモルファス薄片３３）の表面と平行な方向）に曲折する曲折部が形成されている。
【００３４】
すなわち、図６に示すように、積層したときに一番下になるアモルファス薄片（１枚目）３３ａの両端部には、板の幅方向の一方側に向かって大きく曲折する曲折部３６ａ，３６ａが形成されている。この１枚目のアモルファス薄片３３ａの上に積層されるアモルファス薄片（２枚目）３３ｂの両端部には、１枚目のアモルファス薄片３３ａと同じ側に向かって曲折する1枚目よりも曲折の程度が小さい曲折部３６ｂ，３６ｂが形成されている。２枚目のアモルファス薄片３３ｂの上に積層されるアモルファス薄片（３枚目）３３ｃは、両端部に曲折部のない長方形に形成されており、この３枚目のアモルファス薄片３３ｃの上に積層されるアモルファス薄片（４枚目）３３ｄは、２枚目のアモルファス薄片３３ｂの曲折部３６ｂ，３６ｂの形成される位置を左右逆転させた形状となっており、アモルファス薄片３３ｄの両端部には２枚目のアモルファス薄片３３ｂとは逆方向に曲折する曲折部３６ｄ，３６ｄが形成されている。さらに、４枚目のアモルファス薄片３３ｄの上に積層されるアモルファス薄片（５枚目）３３ｅは、１枚目のアモルファス薄片３３ａの曲折部３６ａ，３６ａの形成される位置を左右逆転させた形状となっており、アモルファス薄片３３ｅの両端部には１枚目のアモルファス薄片３３ａとは逆方向に曲折する曲折部３６ｅ，３６ｅが形成されている。
【００３５】
これらのアモルファス薄片３３ａ，３３ｂ，３３ｃ，３３ｄ，３３ｅを１枚目から順に積層することにより、コア３０は、図６に示すように、各アモルファス薄片３３ａ，３３ｂ，３３ｃ，３３ｄ，３３ｅの端部がコア３０（コアを形成するアモルファス薄片３３）の表面と平行な方向に互いに僅かずつずれて重なり合う。これにより、コア３０の両端部の電波受信部３５は、コア３０の延在方向に直交する方向であってコア３０を電波腕時計１００のアンテナ収納スペース１５内に配置したときの水平方向（コア３０（コアを形成するアモルファス薄片３３）の表面と平行な方向）にずれて広がり、電波受信部３５における文字盤６側に向けられる電波受信面の受信面積が広くなっている。
【００３６】
ここで、アンテナ装置の製造方法について説明する。
図６に示すように、作業者は、周知のプレス機等によって、例えば磁性材料であるアモルファス金属からなる板材３７から５枚のアモルファス薄片３３ａ，３３ｂ，３３ｃ，３３ｄ，３３ｅを一度に打ち抜き（プレス工程）、打ち抜いたアモルファス薄片３３ａ，３３ｂ，３３ｃ，３３ｄ，３３ｅを、前記のように１枚目（アモルファス薄片３３ａ）から５枚目（アモルファス薄片３３ｅ）まで順に重ね合わせて積層し、コア３０を形成する。さらに、図７（Ａ）及び図７（Ｂ）に示すように、このようにして形成されたコア３０の巻き線部３４にコイル３１をほぼ均一の厚さとなるように巻回し、コイル３１の巻き始めと巻き終わりの各両端部３２を回路基板１２上のコイル接続部１９に接続する。なお、図７（Ａ）はコイル３１の巻き付け開始時の状態を表しており、図７（Ｂ）はコイル３１の巻き付け完了時の状態を表している。
【００３７】
例えば同形状のアモルファス薄片を単に積層して形成したコア３８の場合には、アモルファス薄片を複数積層しても、図８（Ａ）に示すように、電波受信部３９の文字盤側に向けられる電波受信面の受信面積はアモルファス薄片一枚分の幅と同じとなる。これに対して、端部に形状の異なる曲折部３６ａ，３６ｂ，３６ｄ，３６ｅを形成したアモルファス薄片３３ａ，３３ｂ，３３ｃ，３３ｄ，３３ｅを複数積層してコア３０を形成した場合には、図８（Ｂ）に示すように、アモルファス薄片３３ｃの左右に曲折部３６ａ，３６ｂ，３６ｄ，３６ｅが張り出す分（図８（Ｂ）における斜線部分）だけ、電波受信部３５の文字盤６側に向けられる電波受信面の受信面積が広くなり、受信感度を向上させることができる。
【００３８】
次に、本実施形態の作用について説明する。
時刻調整時、時刻調整用電波は、主として時計ガラス５側から当該時計ガラス５を透過して、アンテナ装置１１の電波受信部２５で受信される。これにより、コア３０の巻き線部２６内には磁束が発生して、コイル２３内に誘導起電力が生じる。この誘導起電力はコイル２３から回路基板１２上の受信制御回路に伝達されて、時刻調整に用いられる。
【００３９】
ここで、電波受信部３５の受信面積と、発生する誘導起電力との関係を図９に表す。
図１０に示すように、電波を受信する電波受信部３５の電波受信面の受信面積が広くなるのに従い、受信面積の増大とほぼ比例して、アンテナ装置１１のコイル３１に生じる誘導起電力μＶの電圧が増大し、アンテナ装置１１の受信感度が向上する。そして、特に機器ケース２が金属で形成されている腕時計においては、機器ケース２の周方向からの電波は機器ケース２に阻害されて内部のアンテナ装置１１まで到達しにくいため、アンテナ装置１１は主として文字盤６側から入る電波を受信することとなる。このため、アンテナ装置１１の受信感度を向上させるためには、特に文字盤６側に向けられる電波受信面の受信面積を広くすることが効果的である。この点、端部に形状の異なる曲折部３６ａ，３６ｂ，３６ｄ，３６ｅを形成したアモルファス薄片３３ａ，３３ｂ，３３ｃ，３３ｄ，３３ｅを複数積層して、コア３０の端部が幅方向に広くなるようにコア３０を形成することにより、文字盤６の側に向けられる電波受信面の受信面積が広くなり、受信感度が向上する。
【００４０】
以上のように、本実施形態によれば、腕時計等のように、アンテナ装置１１の収納スペースを広く取ることができない電子機器にアンテナ装置１１を収納する場合にも、スペースを無駄なく利用して、電波を受信する電波受信部３５の全体としての表面積（受信面積）を広く確保することができる。また、時計ガラス５や樹脂等で形成される文字盤６側といった電波を通す材料で形成されている側に向けられる電波受信部３５の電波の受信面積を広くすることができるので、機器ケース２が金属等の電波を阻害する材料で形成されている場合であっても、アンテナ装置１１の受信感度を効果的に向上させることができる。
【００４１】
なお、アンテナ装置１１のコア３０を形成する各アモルファス薄片の曲折部の形状は、電波を通す時計ガラス５や文字盤６側に向けられる電波受信部３５の電波の受信面積を広くするものであればよく、ここに例示したものに限定されない。
例えば、図１０に示すように、各アモルファス薄片４３ａ，４３ｂ，４３ｃ，４３ｄ，４３ｅの形状を、アンテナ装置１１を機器ケース２内に収納したときに、電波受信部４１を構成するコア４０の端部が機器ケース２の内周面に沿うような形状としてもよい。
また、図１１に示すように、アモルファス薄片５３ａ，５３ｂ，５３ｃ，５３ｄ，５３ｅの端部の曲折部５６ａ，５６ｂ，５６ｄ，５６ｅの各基端部に湾曲部５７ａ，５７ｂ，５７ｄ，５７ｅを設けるようにしてもよい。このように、曲折部５６ａ，５６ｂ，５６ｄ，５６ｅの基端部に基端部に湾曲部５７ａ，５７ｂ，５７ｄ，５７ｅを設けることにより、コア５０の電波受信部５１に入った電波がより滞りなく流れるようになる。
【００４２】
なお、本実施形態では、電子機器として電波腕時計１００を例示して説明したが、通信機能を有する電子機器であれば本発明を適用することが可能である。例えば、電子機器はラジオや携帯電話等でもよく、これらの電子機器に搭載するアンテナ装置に本発明を適用することができる。
【００４３】
その他、本発明が上記実施の形態に限らず適宜変更可能であるのは勿論である。
【００４４】
［第２の実施の形態］
次に、図１２を参照しつつ、本発明に係るアンテナ装置及びアンテナ装置を備える電子機器の第２の実施形態について説明する。なお、第２の実施形態は、アンテナ装置を構成するコアの構成が第１の実施形態と異なるものであるので、以下においては、特に第１の実施形態と異なる点について説明する。
【００４５】
本実施形態におけるアンテナ装置は、第１の実施形態と同様に、磁性材料で形成されたコア６０とコア６０の巻き線部６４に巻回されたコイル（図示せず）とを備えている。
【００４６】
図１２に示すように、本実施形態におけるコア６０は、第１実施形態と同様に両端部の形状がそれぞれ異なる複数枚のアモルファス薄片（板状部材）６１ａ，６１ｂ，６１ｃ，６１ｄ，６１ｅから構成されている。このアモルファス薄片６１ａ，６１ｂ，６１ｃ，６１ｄ，６１ｅをコア６０の幅方向に曲折する曲折部６２ａ，６２ｂ，６２ｄ，６２ｅが少しずつずれて重なり合うように積層することにより、コア６０の両端部が、コア６０の延在方向に直交する方向であってコア６０を電波腕時計の機器ケース内（図示せず）内に配置したときの水平方向（コア６０（コアを形成するアモルファス薄片６１）の表面と平行な方向）にずれて広がり、電波受信部６３がコア６０の幅方向に広くなる形状となっている。
コア６０をこのような形状とすることにより、電波受信部６３における文字盤側に向けられる電波受信面の受信面積が広くなっている。
【００４７】
前記電波受信部６０を構成する各アモルファス薄片６１ａ，６１ｂ，６１ｃ，６１ｄ，６１ｅの両端部であって、アンテナ装置を電子機器としての電波腕時計の機器ケース内に収納したときに、電波腕時計の文字盤（図示せず）に対向する面には、ローレット加工が施されたがローレット加工部６３１が形成されている。ローレット加工部６３１は、アモルファス薄片６１ａ，６１ｂ，６１ｃ，６１ｄ，６１ｅの端部全体に形成されていてもよいし、アモルファス薄片６１ａ，６１ｂ，６１ｃ，６１ｄ，６１ｅを積層したときに表面に現れる部分のみに形成されていてもよい。表面に現れる部分のみにローレット加工部６３１を形成する場合には、積層したときに１番上になるアモルファス薄片６１ｅの両端部には、全体にローレット加工部６３１を形成し、２番目以降のアモルファス薄片６１ａ，６１ｂ，６１ｃ，６１ｄの両端部には、アモルファス薄片６１ａ，６１ｂ，６１ｃ，６１ｄを積層したときに上に重ねられるアモルファス薄片６１によって覆われない部分のみにローレット加工部６３１が形成される。このように、アモルファス薄片６１ａ，６１ｂ，６１ｃ，６１ｄ，６１ｅの両端部の文字盤に対向する面にローレット加工部６３１を形成することにより、電波受信部６３の表面積を大きくし、電波をアンテナ装置により入りやすくすることができる。
【００４８】
各アモルファス薄片６１ａ，６１ｂ，６１ｃ，６１ｄ，６１ｅの両端部に施されるローレットは、横方向の筋だけを付す平目ローレット、微細な菱形形状を複数付す綾目ローレット等、どのようなものでもよい。また、ローレット加工は周知の工具を用いて施すことができ、ローレット加工を施す手法としては、転造式、切削式のいずれでもよい。
【００４９】
なお、アンテナ装置のコア６０の構成以外のアンテナ装置及び電子機器としての電波腕時計の構成は、第１実施形態に示したものと同様であるので、その説明を省略する。
【００５０】
次に、本実施形態のアンテナ装置の製造方法について説明する。
【００５１】
まず、第１実施形態の場合と同様に、周知のプレス機等によって、アモルファス金属等の磁性材料からなる板材（図示せず）から両端部の形状の異なる５枚のアモルファス薄片６１ａ，６１ｂ，６１ｃ，６１ｄ，６１ｅを一度に打ち抜く（プレス工程）。打ち抜いた各アモルファス薄片６１ａ，６１ｂ，６１ｃ，６１ｄ，６１ｅの両端部の文字盤に対向する面にローレット加工を施してローレット加工部６３１を形成する（ローレット工程）。ローレット加工部６３１を形成した後、５枚のアモルファス薄片６１ａ，６１ｂ，６１ｃ，６１ｄ，６１ｅを順に積層し、コア６０を形成する。形成されたコア６０の巻き線部６４にコイルをほぼ均一な厚さとなるように巻回し、コイルの先端を図示しない回路に接続する。これによりアンテナ装置が完成する。完成したアンテナ装置は、コア６０のローレット加工部６３１が形成されている面が文字盤と対向するような向きで機器ケースに収納される。
【００５２】
以上のように、本実施形態によれば、コア６０を形成するアモルファス薄片６１ａ，６１ｂ，６１ｃ，６１ｄ，６１ｅの端部の文字盤と対向する面にローレット加工部６３１が形成されているので、コア６０の電波受信部６３の表面積を広くすることができ、アンテナ装置の受信感度を向上させることができる。
【００５３】
なお、本実施形態においては、アモルファス薄片６１ａ，６１ｂ，６１ｃ，６１ｄ，６１ｅの両端部にローレット加工を施したが、コア６０の電波受信部６３の表面積を広くできる加工を施せばよく、ローレット加工に限定されない。
例えば、図１３に示すように、アモルファス薄片６５ａ，６５ｂ，６５ｃ，６５ｄ，６５ｅの両端部の文字盤と対向する面に目立て加工を施して目立て加工部６６１を形成してもよい。この場合、目立て加工部６６１は、アモルファス薄片６５ａ，６５ｂ，６５ｃ，６５ｄ，６５ｅを積層したときに表面に現れる部分のみに形成される。すなわち、１番上になるアモルファス薄片６５ｅの両端部には、全体に目立て加工部６６１を形成し、２番目以降のアモルファス薄片６５ａ，６５ｂ，６５ｃ，６５ｄの両端部には、アモルファス薄片６５を積層したときに上に重ねられるアモルファス薄片６５によって覆われない部分のみに目立て加工部６６１が形成される。このように、アモルファス薄片６５ａ，６５ｂ，６５ｃ，６５ｄ，６５ｅの両端部の文字盤に対向する面に目立て加工部６６１を形成することにより、電波受信部６６の表面積を大きくし、電波をアンテナ装置により入りやすくすることができる。これによりアンテナ装置の受信感度を向上させることができる。
【００５４】
［第３の実施の形態］
次に、図１４を参照しつつ、本発明に係るアンテナ装置及びアンテナ装置を備える電子機器の第３の実施形態について説明する。なお、第３の実施形態は、アンテナ装置を構成するコアの構成が第１の実施形態及び第２の実施形態と異なるものであるので、以下においては、特に第１の実施形態及び第２の実施形態と異なる点について説明する。
【００５５】
本実施形態におけるアンテナ装置は、第１の実施形態及び第２の実施形態と同様に、磁性材料で形成されたコア７０とコア７０の巻き線部７４に巻回されたコイル（図示せず）とを備えている。
【００５６】
図１４に示すように、本実施形態におけるコア７０は、第１実施形態及び第２の実施形態と同様に両端部の形状がそれぞれ異なる複数枚のアモルファス薄片（板状部材）７１ａ，７１ｂ，７１ｃ，７１ｄ，７１ｅから構成されており、このアモルファス薄片７１ａ，７１ｂ，７１ｃ，７１ｄ，７１ｅをコア７０の幅方向に曲折する曲折部７２ａ，７２ｂ，７２ｄ，７２ｅが少しずつずれて重なり合うように積層することにより、コア７０の両端部が、コア７０の延在方向に直交する方向であってコア７０を電波腕時計の機器ケース内（図示せず）内に配置したときの水平方向（コア７０（コアを形成するアモルファス薄片７１）の表面と平行な方向）にずれて広がり、電波受信部７３がコア７０の幅方向に広くなる形状となっている。
コア７０をこのような形状とすることにより、電波受信部７３における文字盤側に向けられる電波受信面の受信面積が広くなっている。
【００５７】
前記電波受信部７３を構成する各アモルファス薄片７１ａ，７１ｂ，７１ｃ，７１ｄ，７１ｅの両端部の一端側には、アンテナ装置を電子機器としての電波腕時計の機器ケース内（図示せず）に収納したときに、文字盤（図示せず）が配置される方向に向かってほぼ９０度の角度で曲折する立設部７５ａ，７５ｂ，７５ｃ，７５ｄ，７５ｅが形成されている。アモルファス薄片７１ａ，７１ｂ，７１ｃ，７１ｄ，７１ｅの端部を曲折させる手法はプレス加工等、公知の手法を用いることができ、その手法は特に限定されない。このように、アモルファス薄片７１ａ，７１ｂ，７１ｃ，７１ｄ，７１ｅの両端部の一端側を文字盤側に曲折することにより、電波の進入位置にアンテナ装置の電波受信部７３をより近づけることができるとともに、電波受信部７３の表面積を大きくし、電波をアンテナ装置により入りやすくすることができる。
【００５８】
なお、アンテナ装置のコア７０の構成以外のアンテナ装置及び電子機器としての電波腕時計の構成は、第１実施形態及び第２の実施形態に示したものと同様であるので、その説明を省略する。
【００５９】
次に、本実施形態のアンテナ装置の製造方法について説明する。
【００６０】
まず、第１実施形態の場合と同様に、周知のプレス機等によって、アモルファス金属等の磁性材料からなる板材（図示せず）から両端部の形状の異なる５枚のアモルファス薄片７１ａ，７１ｂ，７１ｃ，７１ｄ，７１ｅを一度に打ち抜く（プレス工程）。打ち抜いた各アモルファス薄片７１ａ，７１ｂ，７１ｃ，７１ｄ，７１ｅの両端部の一端側をプレス加工等によりアモルファス薄片７１ａ，７１ｂ，７１ｃ，７１ｄ，７１ｅの表面に対してほぼ９０度（垂直）の角度に曲折し立設部７５ａ，７５ｂ，７５ｃ，７５ｄ，７５ｅを形成する（曲折工程）。曲折加工を施した後、５枚のアモルファス薄片７１ａ，７１ｂ，７１ｃ，７１ｄ，７１ｅを順に積層し、コア７０を形成する。形成されたコア７０の巻き線部７４にコイルをほぼ均一な厚さとなるように巻回し、コイルの先端を図示しない回路に接続する。これによりアンテナ装置が完成する。完成したアンテナ装置は、コア７０の端部が電波腕時計の文字盤側に向かって曲折するような向きで機器ケースに収納される。
【００６１】
以上のように、本実施形態によれば、コア７０を形成するアモルファス薄片７１ａ，７１ｂ，７１ｃ，７１ｄ，７１ｅの端部の一端側が文字盤側に曲折しているので、コア７０の電波受信部７３の表面積を広く確保することができ、アンテナ装置の受信感度を向上させることができる。
【００６２】
なお、本実施形態においては、アモルファス薄片７１ａ，７１ｂ，７１ｃ，７１ｄ，７１ｅの端部の一端側のみを電波腕時計の文字盤側に曲折したが、コア７０の電波受信部７３の表面積を広く確保できる形状とすればよく、アモルファス薄片の端部の他の側面を曲折してもよい。
例えば、図１５に示すように、アモルファス薄片７６ａ，７６ｂ，７６ｃ，７６ｄ，７６ｅの端部から一端側にかけて曲折してほぼＬ字型に立設部７８ａ，７８ｂ，７８ｃ，７８ｄ，７８ｅを設けてもよい。このようにアモルファス薄片７６ａ，７６ｂ，７６ｃ，７６ｄ，７６ｅの端部にＬ字型に立設部７８ａ，７８ｂ，７８ｃ，７８ｄ，７８ｅを設けることによりコア７０の電波受信部７７の表面積をより広く確保することができ、さらに、文字盤側に電波受信部７７の端部を折り曲げることにより、効率的に電波を捉えることができる。これによりアンテナ装置の受信感度を向上させることができる。
【００６３】
［第４の実施の形態］
次に、図１６から図１８を参照しつつ、本発明に係るアンテナ装置及びアンテナ装置を備える電子機器の第４の実施形態について説明する。なお、第４の実施形態は、アンテナ装置を構成するコアの構成が第１の実施形態から第３の実施形態と異なるものであるので、以下においては、特に第１の実施形態から第３の実施形態と異なる点について説明する。
【００６４】
本実施形態におけるアンテナ装置８０は、第１の実施形態から第３の実施形態と同様に、磁性材料で形成されたコア８１とコア８１の巻き線部８５に巻回されたコイル８２とを備えている。
【００６５】
図１６に示すように、本実施形態におけるコア８１は、それぞれ異なる形状の複数枚のアモルファス薄片８３ａ，８３ｂ，８３ｃ，８３ｄから構成されており、このアモルファス薄片８３ａ，８３ｂ，８３ｃ，８３ｄを８３ａが１番下になり８３ｄが１番上になるように順に積層することによりコア８１を形成する。
【００６６】
図１６及び図１７に示すように、積層したときに１番下になるアモルファス薄片（１枚目）８３ａの両端部には、電子機器としての電波腕時計２００の機器ケース２の内周面の形状に沿うように一方向に延出する延出部８４ａが形成されている。この１枚目のアモルファス薄片８３ａの上に積層されるアモルファス薄片（２枚目）８３ｂの両端部には、１枚目のアモルファス薄片８３ａと同じ側に向かって延出する１枚目よりも小さい延出部８４ｂが形成されている。２枚目のアモルファス薄片８３ｂの上に積層されるアモルファス薄片（３枚目）８３ｃの両端部には、２枚目のアモルファス薄片８３ｂと同じ側に向かって延出する２枚目よりも小さい延出部８４ｃが形成されている。この３枚目のアモルファス薄片８３ｃの上に積層されるアモルファス薄片（４枚目）８３ｄは、両端部に延出部がなく、端部が機器ケース２の内周面に沿う形状に形成されている。
【００６７】
図１７（Ａ）は、アモルファス薄片８３ａ，８３ｂ,８３ｃ,８３ｄを積層した状態を示したものであり、図１７（Ｂ）は、図１７（Ａ）の矢示II方向からコア８１を見た場合のコア８１の側面図である。各アモルファス薄片８３ａ，８３ｂ，８３ｃ，８３ｄを１枚目から順に積層することにより、コア８１は、図１７（Ａ）、図１７（Ｂ）に示すように、各アモルファス薄片８３ａ，８３ｂ,８３ｃ,８３ｄの端部が僅かずつずれて重なり合い、コア８１の両端部が、コア８１の延在方向に直交する方向であってコア８１を電波腕時計２００の機器ケース内（図示せず）内に配置したときの水平方向（コア８１（コアを形成するアモルファス薄片８３）の表面と平行な方向）にずれて広がり、電波受信部８６がコア８１の幅方向に広くなる形状となっている。
コア８１をこのような形状とすることにより、電波受信部８６における文字盤６側に向けられる電波受信面の受信面積が広くなっている。
【００６８】
なお、アンテナ装置８０のコア８１の構成以外のアンテナ装置８０及び電子機器としての電波腕時計２００の構成は、第１実施形態から第３の実施形態に示したものと同様であるので、同一部材には同一の符号を付して、その説明を省略する。
【００６９】
次に、本実施形態のアンテナ装置８０の製造方法について説明する。
【００７０】
まず、第１実施形態等の場合と同様に、周知のプレス機等によって、アモルファス金属等の磁性材料からなる板材（図示せず）からそれぞれ端部の形状の異なる５枚のアモルファス薄片８３ａ，８３ｂ，８３ｃ，８３ｄ（図１６参照）を一度に打ち抜き（プレス工程）、打ち抜いた５枚のアモルファス薄片８３ａ，８３ｂ，８３ｃ，８３ｄを順に積層し、コア８１を形成する。形成されたコア８１の巻き線部８５にコイル８２をほぼ均一な厚さとなるように巻回し、コイル８２の先端を図示しない回路に接続する。これによりアンテナ装置８０が完成する。完成したアンテナ装置８０は、図１８に示すように、コア８１の端部の延出部８４ａ，８４ｂ，８４ｃの設けられている側が電波腕時計２００の機器ケース２の内周面に沿うような向きで機器ケース２に収納される。
【００７１】
以上のように、本実施形態によれば、コア８１を形成するアモルファス薄片８３ａ，８３ｂ，８３ｃ，８３ｄの端部を機器ケース２の内周面に沿う形状とすることにより、機器ケース２内の限られたスペースを有効に利用することができるとともに、コア８１の電波受信部８６の表面積を広く確保して、アンテナ装置８０の受信感度を向上させることができる。
【００７２】
なお、本実施形態においては、機器ケース２が円形の場合を例として説明したが、機器ケースが楕円形の場合等、円形以外の形状の場合には、コアを形成するアモルファス薄片は、コアの端部が機器ケースの内周面に沿う形状に形成される。
【００７３】
また、本実施形態においては、コア８１を形成するアモルファス薄片８３ａ，８３ｂ，８３ｃの両端部に一方向に延出する延出部８４ａ，８４ｂ，８４ｃを設けるようにしたが、アモルファス薄片８３ａ，８３ｂ，８３ｃ，８３ｄを積層してコア８１を形成したときにコア８１の端部が機器ケースの内周面に沿う形状となればよく、アモルファス薄片の形状はここに示したものに限定されない。
例えば、図１９及び図２０に示すように、アモルファス薄片９３ａ，９３ｂ，９３ｃの両端部に、幅方向の一方側に向かって曲折する曲折部９４ａ，９４ｂ，９４ｃを形成し、アモルファス薄片を９３ａから順に重ね合わせ、１番上に曲折部の設けられていない９３ｄがくるように積層して、コア９１を形成してもよい。この場合、アンテナ装置９０の電波受信部９６の形状は、第４の実施形態で示したアンテナ装置８０（図１７及び図１８参照）と同様に、電子機器としての電波腕時計の機器ケースの内周面に沿う形状となる。アンテナ装置９０を曲折部９４ａ，９４ｂ，９４ｃが形成されている側が機器ケースの内周面に沿うように機器ケース内に収納することにより、巻き線部９５の周りに空間を確保することができ、巻き線部９５にコイル９２を巻いても、コイル９２が機器ケースの内周面に当接することなくアンテナ装置９０を機器ケース内に収納することができる。なお、図２０（Ａ）は、アモルファス薄片９３ａ，９３ｂ，９３ｃ，９３ｄを積層してコアを形成したアンテナ装置９０を示しており、図２０（Ｂ）は、図２０（Ａ）の矢示III方向からコア９１を見た場合のコア９１の側面図である。
【００７４】
図１９及び図２０に示すコア９１は、図１９に示すように、第４の実施形態で示したアモルファス薄片（図１６参照）８３ａ，８３ｂ，８３ｃの各端部のうち、他のアモルファス薄片８３と重なり合って覆われる部分を切り欠いたものである。アモルファス薄片９３の端部のうち、アモルファス薄片９３を積層した際に、他のアモルファス薄片９３と重なり合って表面に現れない部分は電波受信面として機能しにくい。このため、アモルファス薄片９３の各端部のうち他のアモルファス薄片９３と重なり合う部分を切り欠いて図１９に示すような形状としても、電波の受信面積は大きく変わらない。そして、このように重なり合う部分を切り欠くことにより、コア９１を形成するアモルファス薄片９３ａ，９３ｂ，９３ｃ，９３ｄを少ない材料から形成することができる。
【００７５】
［第５の実施の形態］
次に、図２１及び図２２を参照しつつ、本発明に係るアンテナ装置及びアンテナ装置を備える電子機器の第５の実施形態について説明する。なお、第５の実施形態は、アンテナ装置を構成するコアの構成が第１の実施形態から第４の実施形態と異なるものであるので、以下においては、特に第１の実施形態から第４の実施形態と異なる点について説明する。
【００７６】
本実施形態におけるアンテナ装置１１０は、第１の実施形態から第４の実施形態と同様に、磁性材料で形成されたコア１１１とコア１１１の巻き線部１１５に巻回されたコイル１１２とを備えている。
【００７７】
図２１に示すように、本実施形態におけるコア１１１は、それぞれ異なる形状の複数枚のアモルファス薄片１１３ａ，１１３ｂ，１１３ｃ，１１３ｄから構成されており、このアモルファス薄片１１３ａ，１１３ｂ，１１３ｃ，１１３ｄを１１３ａが１番下になり１１３ｄが１番上になるように順に積層することによりコア１１１を形成する。
【００７８】
図２１及び図２２に示すように、積層したときに１番下になるアモルファス薄片（１枚目）１１３ａの両端部には、アモルファス薄片１１３ａの幅方向に大きく延出する延出部１１４ａが形成されている。この１枚目のアモルファス薄片１１３ａの上に積層されるアモルファス薄片（２枚目）１１３ｂの両端部には、１枚目のアモルファス薄片１１３ａよりも小さい延出部１１４ｂが形成されている。２枚目のアモルファス薄片１１３ｂの上に積層されるアモルファス薄片（３枚目）１１３ｃは、延出部がなく、長方形状に形成されており、この３枚目のアモルファス薄片１１３ｃの上に積層されるアモルファス薄片（４枚目）１１３ｄは、両端部が先端部に行くに従って細くなる形状に形成されている。
【００７９】
図２２（Ａ）は、アモルファス薄片１１３ａ，１１３ｂ，１１３ｃ，１１３ｄを積層した状態を示したものであり、図２２（Ｂ）は、図２２（Ａ）の矢視IVから見たコア１１１の側面図である。各アモルファス薄片１１３ａ，１１３ｂ，１１３ｃ，１１３ｄを１枚目から順に積層することにより、コア１１１は、図２２（Ａ）、図２２（Ｂ）に示すように、各アモルファス薄片１１３ａ，１１３ｂ，１１３ｃ，１１３ｄの端部が僅かずつずれて段状に重なり合うことにより、コア１１１の両端部が、コア１１１の延在方向に直交する方向であってコア１１１を電波腕時計の機器ケース内（図示せず）内に配置したときの水平方向（コア１１１（コアを形成するアモルファス薄片１１３）の表面と平行な方向）にずれて広がり、電波受信部１１６がコア１１１の幅方向に広くなる形状となっている。
コア１１１をこのような形状とすることにより、電波受信部１１６における文字盤側に向けられる電波受信面の受信面積が広くなっている。
【００８０】
なお、アンテナ装置１１０のコア１１１の構成以外のアンテナ装置１１０及び電子機器としての電波腕時計の構成は、第１実施形態から第４の実施形態に示したものと同様であるので、その説明を省略する。
【００８１】
次に、本実施形態のアンテナ装置１１０の製造方法について説明する。
【００８２】
まず、第１実施形態等の場合と同様に、周知のプレス機等によって、アモルファス金属等の磁性材料からなる板材（図示せず）からそれぞれ端部の形状の異なる５枚のアモルファス薄片１１３ａ，１１３ｂ，１１３ｃ，１１３ｄを一度に打ち抜き（プレス工程）、打ち抜いた５枚のアモルファス薄片１１３ａ，１１３ｂ，１１３ｃ，１１３ｄを順に積層し、コア１１１を形成する。形成されたコア１１１の巻き線部１１５にコイル１１２をほぼ均一な厚さとなるように巻回し、コイル１１２の先端を図示しない回路に接続する。これによりアンテナ装置１１０が完成する。完成したアンテナ装置１１０は、アモルファス薄片１１３ｄが電波腕時計の文字盤（いずれも図示せず）に対向するような向きで電波腕時計の機器ケース内に収納される。
【００８３】
以上のように、本実施形態によれば、コア１１１の電波受信部１１６を構成するアモルファス薄片１１３ａ，１１３ｂ，１１３ｃ，１１３ｄの端部に、コア１１１の幅方向に延出する延出部１１４ａ，１１４ｂを設けているので、コア１１１の電波受信部１１６の表面積を広く確保して、アンテナ装置１１０の受信感度を向上させることができる。
【００８４】
なお、アモルファス薄片１１３ａ，１１３ｂ，１１３ｃ，１１３ｄの端部に形成される延出部の形状はここに例示したものに限定されない。
【００８５】
［第６の実施の形態］
次に、図２３から図２５を参照しつつ、本発明に係るアンテナ装置及びアンテナ装置を備える電子機器の第６の実施形態について説明する。なお、第６の実施形態は、アンテナ装置を構成するコアの構成が第１の実施形態から第５の実施形態と異なるものであるので、以下においては、特に第１の実施形態から第５の実施形態と異なる点について説明する。
【００８６】
本実施形態におけるアンテナ装置１２０は、磁性材料で形成され、図２３に示すように、電子機器としての電波腕時計の機器ケース２の内周面に沿う形状のコア１２１とコア１２１の周りに導線を巻回して形成したコイル１２２とを備えている。
【００８７】
図２４及び図２５に示すように、本実施形態におけるコア１２１は、同一形状の複数枚のアモルファス薄片１２３ａ，１２３ｂ，１２３ｃ，１２３ｄ，１２３ｅから構成されている。コア１２１は、このアモルファス薄片１２３ａ，１２３ｂ，１２３ｃ，１２３ｄ，１２３ｅを積層した上で、アモルファス薄片１２３ａ，１２３ｂ，１２３ｃ，１２３ｄ，１２３ｅのほぼ中央部を中心として両端部をコア１２１の幅方向にずらすことにより、コア１２１の両端部が、コア１２１の延在方向に直交する方向であってコア１２１を電波腕時計の機器ケース内（図示せず）内に配置したときの水平方向（コア１２１（コアを形成するアモルファス薄片１２３）の表面と平行な方向）にずれて広がり、電波受信部１２６がコア１１１の幅方向に広くなる形状となっている。
コア１２１をこのような形状とすることにより、電波受信部１２６における文字盤側に向けられる電波受信面の受信面積が広くなっている。
【００８８】
次に、本実施形態のアンテナ装置１２０の製造方法について説明する。
【００８９】
まず、第１実施形態等の場合と同様に、周知のプレス機等によって、アモルファス金属等の磁性材料からなる板材１２５から同一形状の５枚のアモルファス薄片１２３ａ，１２３ｂ，１２３ｃ，１２３ｄ，１２３ｅを一度に打ち抜き（プレス工程）、打ち抜いた５枚のアモルファス薄片１２３ａ，１２３ｂ，１２３ｃ，１２３ｄ，１２３ｅを順に積層する（図２４参照）。さらに、積層されたアモルファス薄片１２３ａ，１２３ｂ，１２３ｃ，１２３ｄ，１２３ｅのほぼ中央部を押さえる等により固定した上で、この中央部を支点として両端部をコア１２１の幅方向にずらす。そして、このようにアモルファス薄片１２３ａ，１２３ｂ，１２３ｃ，１２３ｄ，１２３ｅをずらした状態で接着又は圧着することにより固定しコア１２１を形成する。コア１２１が完成すると、図２５に示すように、形成されたコア１２１の巻き線部１２７の一端部から他端部まで、コイル１２２をほぼ均一な厚さになるように巻回する。これによりアンテナ装置１２０が完成する。アンテナ装置１２０が完成すると、コイル１２２の巻き始めと巻き終わりの各端部１２８を図示しない回路基板のコイル接続部に接続し、機器ケース２に収納する。
【００９０】
なお、アンテナ装置１２０のコア１２１の構成以外のアンテナ装置１２０及び電子機器としての電波腕時計の構成は、第１実施形態から第５の実施形態に示したものと同様であるので、その説明を省略する。
【００９１】
以上のように、本実施形態によれば、コア１２１を形成するアモルファス薄片１２３ａ，１２３ｂ，１２３ｃ，１２３ｄ，１２３ｅの端部をずらすことによって、コア１２１の電波受信部１２６の電波受信面の表面積を広く確保することができ、電波をより入りやすくし、アンテナ装置１２０の受信感度を向上させることができる。
【００９２】
なお、本実施形態においては、アモルファス薄片１２３ａ，１２３ｂ，１２３ｃ，１２３ｄ，１２３ｅの端部をずらして形成したコア１２１に直接コイル１２２を巻回する構成としたが、例えば、コア１２１を形成した後、巻き線部１２７が直線になるように樹脂等でコア１２１をモールドし、その上からコイル１２２を巻回してもよい。また、例えば、コア１２１を形成した後、コア１２１を巻き線部１２７が直線となっているケースに収納し、ケースの上からコイル１２２を巻回してもよい。このように、モールドした上からコイル１２２を巻回したり、コア１２１をケースに収納した上でコイル１２２を巻回したりすることにより、直線的な巻き線部１２７にコイル１２２を巻くことができ、容易にコイル１２２を均一に巻くことができる。
【図面の簡単な説明】
【００９３】
【図１】本発明の第１の実施形態のアンテナ装置を備えた電子機器の一例である電波腕時計の概略構成を示す正面図である。
【図２】図１に示す電波腕時計の構成部品のうち、裏蓋を外した状態の裏面側内部を示す裏面図である。
【図３】図１に示す電波腕時計の縦断面図である。
【図４】図１に示す電波腕時計にアンテナ装置が収納された状態を示す要部斜視図である。
【図５】(Ａ)は、図４の矢指Ｘ方向から見たアンテナ装置の側面図であり、（Ｂ）は、図４のＩ−Ｉ断面図である。
【図６】本発明の第１の実施形態のアンテナ装置を製造する製造方法のうちプレス工程及び積層工程を示す説明図である。
【図７】本発明の第１の実施形態のアンテナ装置を製造する製造方法のうち巻回工程を示す説明図である。
【図８】コアの形状とアンテナ装置の電波受信部の受信面積の違いとの関係を説明する説明図である。
【図９】本発明の第１の実施形態のアンテナ装置に備わる電波受信部の受信面積と、発生する誘導起電力との関係を表すグラフである。
【図１０】本発明の第１の実施形態のアンテナ装置のコアの変形例を示す斜視図である。
【図１１】本発明の第１の実施形態のアンテナ装置のコアの変形例を示す斜視図である。
【図１２】本発明の第２の実施形態のアンテナ装置に備わるコアを示す斜視図である。
【図１３】本発明の第２の実施形態のアンテナ装置のコアの変形例を示す斜視図である。
【図１４】本発明の第３の実施形態のアンテナ装置に備わるコアを示す斜視図である。
【図１５】本発明の第３の実施形態のアンテナ装置のコアの変形例を示す斜視図である。
【図１６】本発明の第４の実施形態のアンテナ装置のコアを構成するアモルファス薄片の正面図である。
【図１７】（Ａ）は、図１６に示すアモルファス薄片を備えるアンテナ装置を示す正面図であり、（Ｂ）は、（Ａ）の矢指II方向から見たアンテナ装置の側面図である。
【図１８】第４の実施形態のアンテナ装置を備えた電子機器の一例である電波腕時計の文字盤の一部を切り欠いてアンテナ装置の収納部分を露出させた正面図である。
【図１９】アンテナ装置のコアを構成するアモルファス薄片の変形例を示す正面図である。
【図２０】（Ａ）は、図１９に示すアモルファス薄片を備えるアンテナ装置を示す正面図であり、（Ｂ）は、（Ａ）の矢指III方向から見たアンテナ装置の側面図である。
【図２１】本発明の第５の実施形態のアンテナ装置のコアを構成するアモルファス薄片の正面図である。
【図２２】（Ａ）は、図２１に示すアモルファス薄片を備えるアンテナ装置を示す正面図であり、（Ｂ）は、（Ａ）の矢指IV方向から見たアンテナ装置の側面図である。
【図２３】本発明の第６の実施形態のアンテナ装置が電子機器の一例である電波腕時計に収納された状態を示す要部斜視図である。
【図２４】本発明の第６の実施形態のアンテナ装置を製造する製造方法のうちプレス工程及び積層工程を示す説明図である。
【図２５】本発明の第６の実施形態のアンテナ装置を製造する製造方法のうち巻回工程を示す説明図である。
【符号の説明】
【００９４】
１      時計計時部
２      機器ケース
３      時計バンド
４      操作ボタン
５      時計ガラス
６      文字盤
７      指針軸
８      指針
１１      アンテナ装置
１２      回路基板
１５      アンテナ収納スペース
２１      開口部
２２      開口部
３１      コイル
３３      アモルファス薄片
３４      巻き線部
３５      電波受信部
３６      曲折部
５０      板材
１００      電波腕時計（電子機器）
【図１】
2008177674.tif 000003
【図２】
2008177674.tif 000004
【図３】
2008177674.tif 000005
【図４】
2008177674.tif 000006
【図５】
2008177674.tif 000007
【図６】
2008177674.tif 000008
【図７】
2008177674.tif 000009
【図８】
2008177674.tif 000010
【図９】
2008177674.tif 000011
【図１０】
2008177674.tif 000012
【図１１】
2008177674.tif 000013
【図１２】
2008177674.tif 000014
【図１３】
2008177674.tif 000015
【図１４】
2008177674.tif 000016
【図１５】
2008177674.tif 000017
【図１６】
2008177674.tif 000018
【図１７】
2008177674.tif 000019
【図１８】
2008177674.tif 000020
【図１９】
2008177674.tif 000021
【図２０】
2008177674.tif 000022
【図２１】
2008177674.tif 000023
【図２２】
2008177674.tif 000024
【図２３】
2008177674.tif 000025
【図２４】
2008177674.tif 000026
【図２５】
2008177674.tif 000027